(57)【要約】【課題】  遊技盤に設けられた液晶表示装置の画面を手間をかけずに清浄に保つ。【解決手段】  遊技盤に設けられた枠部材１７には、液晶表示装置７が取り付けられている。枠部材１７には、ブラシ２５を有する清掃部材２４が設けられている。清掃部材２４は、枠部材１７の側面１７ａの近傍を落下するパチンコ球を受け、パチンコ球の重さによって回動する。ブラシ２５は液晶画面７ａを摺動し、液晶画面７ａに付着している汚れや埃等を除去する。【選択図】        図２
2005245594.tif 000002
【特許請求の範囲】
【請求項１】
遊技球が落下する遊技盤に表示装置が設けられた遊技機において、
前記表示装置の表示面に接触してこの表示面を清掃する清掃部と、前記表示装置の外側に位置して前記遊技球を受ける受け部とを有する清掃部材を備え、この清掃部材は、前記受け部が遊技球を受けることにより前記清掃部を前記表示面に沿って移動させることを特徴とする遊技機。
【請求項２】
前記清掃部材は、この清掃部材を回動自在に支持する回動軸と、前記受け部が設けられた一端部と、前記清掃部が設けられた他端部とを備えていることを特徴とする請求項１記載の遊技機。
【請求項３】
前記一端部には前記遊技球を収容する収容部が設けられ、前記他端部はその重さが前記一端部よりも重いことを特徴とする請求項２記載の遊技機。
【請求項４】
前記表示面の上下方向に前記清掃部材をスライドさせるためのガイド部材が設けられていることを特徴とする請求項１記載の遊技機。
【請求項５】
前記清掃部材の受け部には、前記遊技球を受けて所定の方向に転がらせる斜面を有する溝が形成されていることを特徴とする請求項４記載の遊技機。
【請求項６】
前記清掃部材の受け部が前記遊技球を受ける前に位置していた初期位置に、前記清掃部材を付勢する付勢部材が設けられていることを特徴とする請求項１又は２、又は請求項４又は５にいずれか１つ記載の遊技機。
【発明の詳細な説明】
【技術分野】
【０００１】
本発明は、遊技盤に表示装置が設けられた遊技機に関する。
【背景技術】
【０００２】
遊技店に設置される遊技機の一つとして知られているパチンコ遊技機では、遊技媒体として使用されるパチンコ球（遊技球）を打ち出し、遊技盤の盤面上でパチンコ球を落下させることにより遊技が行われる。遊技盤には入賞口及びアウト口が設けられている。パチンコ球が入賞口に入ると入賞となり、所定個数のパチンコ球が賞球として払い出され、アウト口に入ったパチンコ球は回収される。
【０００３】
パチンコ遊技機には、遊技盤のほぼ中央に表示装置を備えたものが広く知られている。この表示装置には、図柄を配列したリールを備えたものや液晶表示装置を用いたもの等がある。遊技者は、表示装置に表示される情報に基づいて、例えば、通常の遊技状態と多くの賞球を得られる特別な遊技状態とを識別することができる。したがって、表示装置は遊技者の注目度が高く、表示装置の表示面に埃や汚れ等が付着すると、表示される情報が見づらくなることや、遊技者に不快感を与えることがあるため、表示面は常に清浄にしておく必要がある。
【発明の開示】
【発明が解決しようとする課題】
【０００４】
しかしながら、従来では、上記表示装置の表示面を清掃する場合、遊技場の従業員が営業時間外等に布やブラシ等を用いて手作業で清掃しなければならなかったために手間がかかるという問題があった。
【０００５】
本発明は、上記問題点を考慮してなされたもので、手間をかけることなく、遊技中に表示装置の表示面を清掃することができる遊技機を提供することを目的とする。
【課題を解決するための手段】
【０００６】
上記目的を達成するために、本発明は、遊技球が落下する遊技盤に表示装置が設けられた遊技機において、前記表示装置の表示面に接触してこの表示面を清掃する清掃部と、前記表示装置の外側に位置して前記遊技球を受ける受け部とを有する清掃部材を備え、この清掃部材は、前記受け部が遊技球を受けることにより前記清掃部を前記表示面に沿って移動させることを特徴とする。なお、移動とは回転による移動、往復動等の直線的な移動を含む。
【０００７】
また、前記清掃部材は、この清掃部材を回動自在に支持する回動軸と、前記受け部が設けられた一端部と、前記清掃部が設けられた他端部とを備えていることを特徴とする。
【０００８】
また、前記一端部には前記遊技球を収容する収容部が設けられ、前記他端部はその重さが前記一端部よりも重いことを特徴とする。
【０００９】
また、前記表示面の上下方向に前記清掃部材をスライドさせるためのガイド部材が設けられていることを特徴とする。
【００１０】
また、前記清掃部材の受け部には、前記遊技球を受けて所定の方向に転がらせる斜面を有する溝が形成されていることを特徴とする。
【００１１】
また、前記清掃部材の受け部が前記遊技球を受ける前に位置していた初期位置に、前記清掃部材を付勢する付勢部材が設けられていることを特徴とする。
【発明の効果】
【００１２】
請求項１記載の発明によれば、落下する遊技球を受けた清掃部材が、表示装置の表示面上で接触部を移動させ、表示面に付着した汚れを除去することができるので、遊技者が遊技を行うことによって自動的に表示面を清掃でき、手間をかけることなく表示装置の表示面を常に清浄に保つことができる。
【００１３】
請求項２記載の発明によれば、清掃部材の一端部に設けられた受け部に遊技球が当たることにより、一端部が下方に下がり、他端部が上方に上がって、他端部に設けられた清掃部が表示装置の表面を清掃するので、例えば受け部が設けられた位置から回動軸が設けられた位置までの距離を大きくすることにより、少ない個数の遊技球あるいは重さの軽い遊技球によって清掃部材を作動させることができる。また、受け部が設けられた一端部と清掃部が設けられた他端部との間に回動軸が設けられるから、落下してくる遊技球を待機させる一端部の位置を回動軸の設けられた位置よりも高くしておくことにより、遊技球が清掃部材を回動させる角度を大きくすることができるとともに、一端部の上に遊技球を滞在させる時間を長くでき、表示装置の表示面の広い範囲を清掃できる。また、清掃部材が回動してその傾きが変化するので、遊技球が落下するときの清掃部材の傾きの違いにより遊技球の経路が様々に変化し、遊技を興趣に富んだものとすることができる。
【００１４】
請求項３記載の発明によれば、清掃部材の一端部に設けられた収容部に遊技球がないときは他端部の方が重く、他端部が下がった状態に保たれ、収容部に遊技球が入ったときには、一端部が他端部よりも重くなり、他端部が上がることによって他端部に設けられた清掃部が表示装置の表示面を清掃することができるから、収容部に遊技球が入る前に位置していた初期位置に、清掃部材を付勢するバネ等の付勢部材を設ける必要がない。
【００１５】
請求項４記載の発明によれば、清掃部材を表示装置の表示面の上下方向へスライド移動させることにより、表示面がその横方向に一様に清掃され、表示面の清浄さにムラが生じることを防ぐことができる。
【００１６】
請求項５記載の発明によれば、遊技球を溝によって捕捉し、溝の斜面を転がる時間だけ遊技球が清掃部材の上に滞在する時間を確保できるため、清掃の途中で清掃部材が停止する不都合をなくし、清掃を確実に行うことができる。
【００１７】
請求項６記載の発明によれば、清掃部材の受け部が遊技球を受ける前に位置していた初期位置に清掃部材を付勢する付勢部材を設けているから、清掃部が表示面と重ならない位置を初期位置とすることにより、清掃部が清掃を行っている途中で清掃部材が停止する事態が生じても清掃部材を初期位置に復帰させ、清掃部によって表示面が長い時間遮られることを防ぐことができる。
【発明を実施するための最良の形態】
【００１８】
図１において、パチンコ遊技機２は、本体枠３に遊技盤４が設けられている。本体枠３には、前面扉５が開閉自在に設けられている。遊技盤４には、液晶表示装置（表示装置）７、始動入賞口８、通常入賞口９、通過入賞口１０、アタッカ１１、アウト口１２が設けられている。遊技盤４の盤面は、パチンコ球が進路を様々に変えながら適度な時間を費やして落下する遊技領域として構成されている。パチンコ遊技機２には、パチンコ球を発射する発射装置、賞球を払い出す払い出し装置、電源回路、ランプ、スピーカーなどが組み付けられている。
【００１９】
前面扉５の下方には、パチンコ球を供給するための供給皿１５及びパチンコ球の打ち出し強さを調節する操作ハンドル１６が設けられている。供給皿１５に投入されたパチンコ球は、発射装置へ誘導され、操作ハンドル１６の操作によって遊技盤４に向けて１個ずつ打ち出される。打ち出されたパチンコ球は、始動入賞口８、通常入賞口９、アウト口１２のいずれかに入る。始動入賞口８、通常入賞口９にパチンコ球が入賞すると、それぞれ所定個数のパチンコ球が賞球として払い出される。アウト口１２に入ったパチンコ球は入賞から外れたものとして回収される。また、始動入賞口８にパチンコ球が入賞した場合には電子抽選が行われ、その結果が液晶表示装置７に表示される。
【００２０】
液晶表示装置７は、遊技盤４のほぼ中央に設けられた枠部材１７に取り付けられている。液晶表示装置７は、図柄等の識別情報の可変表示を行い、可変表示が終了したときに表示される識別情報の種類や組み合わせにより当たりか否かを表示する。当たりが得られると、通常の遊技よりも賞球を多く獲得できる有利な遊技状態へと移行し、アタッカ１１が開放される。アタッカ１１が開放されると他の入賞口よりもパチンコ球が入賞しやすい大入賞口が出現する。アタッカ１１は、所定時間開放されるか、大入賞口に所定個数のパチンコ球が入賞することを条件に閉じられ、同じ条件に基づいて開閉動作を複数回繰り返す。これにより、大当たり中は多数のパチンコ球が入賞し、遊技者は多数の賞球を獲得することができる。
【００２１】
図２において、枠部材１７は、その上部に屋根部２０を備え、その下部にステージ部２１を備えている。屋根部２０は、パチンコ球が液晶表示装置７の上方から液晶表示装置７に向かって落下することを防ぐ。ステージ部２１は、例えば、枠部材１７の下に設けられた釘に衝突し、その勢いで上方に跳ね返されたパチンコ球が乗るところである。ステージ部２１に乗ったパチンコ球は左右に転がるなどの動きを示し、ステージ部２１に少しの時間滞在した後、枠部材１７の下方に落下する。枠部材１７には、液晶表示装置７の液晶画面（表示面）７ａを清掃する清掃部材２４が設けられている。清掃部材２４は、液晶画面７ａに接触するブラシ（清掃部）２５を有し、その一部が枠部材１７の側面１７ａから突出している。
【００２２】
図３において、清掃部材２４は、枠部材１７の側面１７ａから突出する平板状の一端部２と、ブラシ２５が設けられた棒状の他端部２７と、他端部２７と一端部２６の間に設けられた回動軸２８とを備えている。回動軸２８は液晶画面７ａの外側の位置で枠部材１７に取り付けられ、清掃部材２４を回動自在に支持する。一端部２６は、枠部材１７の側面１７ａの近傍を落下するパチンコ球を受ける平坦な受け面（受け部）２６ａを有する。
【００２３】
図４において、清掃部材２４は、一端部２６の受け面２６ａがパチンコ球３０を受けていない初期状態では、他端部２７が一端部２６及び回動軸２８よりも下方に位置し、一端部２６が他端部２７及び回動軸２８よりも上方に位置している（図４（ａ））。一端部２６には、回動軸２８よりも先端部２６ａに近い位置に、引っ張りバネからなる付勢バネ（付勢部材）３１が接続されている。
【００２４】
パチンコ球３０が一端部２６の受け面２６ａの上に乗ると、その重みで一端部２６が下方に下がり、これにより他端部２７が上方に上がり、清掃部材２４が回動する。清掃部材２４が回動すると、他端部２７が一端部２６よりも低い位置にある状態から、他端部２７と一端部２６が水平に並ぶ状態を経て、他端部２７が一端部２６よりも高い位置にある状態に変移する（図４（ｂ））。清掃部材２４が回動するとブラシ２５が液晶画面７ａを摺動し、液晶画面７ａのブラシ２５が通過した領域の汚れや埃が除去され、液晶画面７ａが清掃される。一端部２６に接続された付勢バネ３１は、一端部２６が下降することによって伸長する。
【００２５】
一端部２６の先端部２６ｂが回動軸２８よりも低い位置に下降したとき、一端部２６の上に乗っているパチンコ球は先端部２６ｂに向かって転がり、一端部２６から落下する。一端部２６からパチンコ球が落下すると、パチンコ球の重さから解放された付勢バネ３１は一端部２６を上方向に引っ張り、一端部２６が上方に上がる。これに伴い、他端部２７が下方に下がる。すなわち、清掃部材２４は、一端部２６の上にパチンコ球３０が乗っているときとは逆方向に回動する。
【００２６】
ブラシ２５は、他端部２７が下方に下がることによって液晶画面７ａを再び摺動し、他端部２７が上方に上がったときに除去しきれなかった汚れや埃を除去する。付勢バネ３１は、一端部２６が上方に上がるとともに縮むので、一端部２６に作用する付勢力は徐々に小さくなる。そして、清掃部材２４がパチンコ球を受ける前の初期位置に戻ったとき、付勢バネ３１は一端部２６を付勢する力が働かなくなり、清掃部材２４は停止し、一端部２６の上に次のパチンコ球が落ちてくるまでの間、静止した状態となる。
【００２７】
このように、清掃部材２４は、落下してくるパチンコ球を一端部２６の受け面２６ａで受けて回動し、ブラシ２５を液晶画面７ａに摺動させる。遊技が行われることにより、打ち出されたパチンコ球のいくつかは一端部２６の上に落下し、清掃部材２４が回動し、液晶画面７ａの清掃が複数回行われる。
【００２８】
次に本発明の第２の実施形態について説明する。図５において、清掃部材４０は、その側部に液晶画面７ａと接触するブラシ（清掃部）４１を有し、上部にはパチンコ球４２を受ける溝４３が形成されている。清掃部材４０は、長方形状をした液晶画面７ａの長辺と平行な水平方向に長く、ブラシ４０は液晶画面７ａの長辺とほぼ等しい長さを有している。清掃部材４０の両端部には、付勢バネ（付勢部材）４４がそれぞれ取り付けられている。液晶画面７ａの両側方には、上下方向に延びたガイドレール（ガイド部材）４５が設けられている。
【００２９】
図６において、清掃部材４０には、ガイドレール４５と係合する略Ｔ字形状の断面を有する凸部４８が設けられている。凸部４８はガイドレール４５の内部を摺動可能であり、清掃部材４０はガイドレール４５によって上下方向にスライド可能に保持される。清掃部材４０は、溝４３の中央部に落下孔４９が設けられている。落下孔４９は、溝４３で受けたパチンコ球を落下させて清掃部材４０の外部に排出する。
【００３０】
図７において、清掃部材４０に形成された溝４３は、その両端部が高く、中央部が低くなるように傾斜した斜面５０を有している。パチンコ球は、清掃部材４０の両端部の上方から落下してくるようになっており、溝４３の上に乗ったパチンコ球は、斜面５０の高い位置から落下孔４９が設けられた低い位置に向かって転がり落ちる。清掃部材４０は溝４３に落下したパチンコ球の重さによりスライドし、下方に下がる。このとき、ブラシ４１が液晶画面７ａを摺動し、液晶画面７ａに付着している埃等が除去される。付勢バネ４４は清掃部材４０が下方に下がることにより伸長し、清掃部材４０を上方向に付勢する。
【００３１】
パチンコ球が溝４３の斜面５０を転がり落ちる間、清掃部材４０はガイドレール４５に案内されてスライドし、下方に下がる。斜面５０は、パチンコ球が落下孔４８に到達するまでの間に、清掃部材４０が液晶画面７ａの下辺の位置まで移動するように、その長さと傾斜角度が適宜決められている。ブラシ４１は、液晶画面７ａの長辺の長さとほぼ等しいから、清掃部材４０が下方に下がることによって、液晶画面７ａが水平方向に一様に清掃され、清掃部材４０が液晶画面７ａの下辺の位置まで移動したときには、液晶画面７ａの全面が清掃される。
【００３２】
清掃部材４０が液晶画面７ａの下辺の位置に到達したとき、パチンコ球が落下孔４８から落下する。パチンコ球の重さによって下方に下がった清掃部材４０は、伸長した付勢バネ４４の付勢力を受けて上方に上がる。付勢バネ４４は、清掃部材４０が上方に上がることによって徐々に縮み、清掃部材４０を付勢する力が徐々に小さくなる。清掃部材４０が上方に上がる間、ブラシ４１は液晶画面７ａを再度清掃する。そして、清掃部材４０が液晶画面７ａの上方の位置まで上昇したとき、付勢バネ４４の付勢力が働かなくなり、清掃部材４０は停止する。
【００３３】
このようにして、清掃部材４０は、溝４３によってパチンコ球を受け、パチンコ球の重さにより下方に下がりながら液晶画面７ａを清掃し、パチンコ球が斜面５０を転がり落ちて落下孔４９から落下したときには、付勢バネ４４の付勢力によって上昇し、再度液晶画面７ａを清掃する。
【００３４】
なお、上記２つの実施形態における清掃部材２４及び４０は、１個のパチンコ球を受けて作動するものであるが、例えば、図８に示す清掃部材５５ように、複数個のパチンコ球によって作動するようにしてもよい。
【００３５】
清掃部材５５は、複数個のパチンコ球を収容する収容部５６ａが設けられた一端部５６と、錘部５７ａが設けられた他端部５７と、一端部５６と他端部５７の間に設けられた回動軸５８とを備えている。他端部５７には、液晶画面７ａと接触するブラシ（図示なし）が設けられている。回動軸５８は清掃部材５５を回動自在に支持し、清掃部材５５は、一端部５６と他端部５７の重さに偏りが生じた際に回動する。
【００３６】
収容部５６ａは、例えば５個程度のパチンコ球を収容する大きさを有し、収容されたパチンコ球の重みにより清掃部材５５が傾いたときに、収容されたパチンコ球を収容部５６ａから落下させるための落下部として斜面壁部５６ｂが設けられている。錘部５７ａは、収容部５６ａにパチンコ球が１つも収容されていない状態の一端部５６の重さに比べて他端部５７の重さを重くし、一端部５６を回動軸５８よりも高い位置に保ち、他端部５７を回動軸５８よりも低い位置に保つための錘として作用する。
【００３７】
清掃部材５５は、通常、錘部５７によって一端部５６が高い位置に保たれ、他端部５７が低い位置に保たれた状態で静止している。遊技を行うことにより清掃部材５５の上方からパチンコ球が落下してくると、そのパチンコ球の幾つかは収容部５６ａに入る。収容部５６ａに入ったパチンコ球は、収容部５６ａの内部に滞留する。収容部５６ａ内のパチンコ球が増えていくと、一端部５６の重さが増していくから、一端部５６が徐々に下方に下がり、他端部５７が徐々に上方に上がり、清掃部材５５が回動する。
【００３８】
収容部５６ａに入ったパチンコ球が、例えば４〜５個になると、一端部５６と他端部５７の重さがほぼ等しくなり、一端部５６と他端部５７が水平に並んだ平衡状態になる（図８（ａ））。この状態から、さらに収容部５６ａにパチンコ球が入ると、一端部５６の重さが他端部５７の重さを上回り、一端部５６が大きく下方に下がり、他端部５７が大きく上方に上がる。このとき、他端部５７に設けられたブラシは、液晶画面７ａを摺動し、液晶画面７ａを清掃する。他端部５７の一部が液晶画面７ａの上辺の位置に達したとき、収容部５６ａに収容されていたパチンコ球は、斜面壁部５６ｂから落下する（図８（ｂ））。
【００３９】
収容部５６ａに収容されていたパチンコ球が全て又はほぼ全て落下すると、一端部５６の重さは他端部５７よりも小さくなるため、一端部５６が上昇し、他端部５７が下降して清掃部材５５が逆方向に回動する。他端部５７に設けられたブラシは、液晶画面７ａを摺動し、液晶画面７ａが再び清掃される。
【００４０】
このように、清掃部材５５は、収容部５６ａにパチンコ球が収容されて滞留し、このパチンコ球が所定の数に達すると回動し、液晶画面７ａを清掃する。また、清掃部材５５が所定の位置まで回動すると、収容部５６ａに収容されたパチンコ球がこぼれ落ち、清掃部材５５が逆方向に回動し、液晶画面７ａを清掃して元の位置に戻る。清掃部材５５は、一端部５６がパチンコ球を受ける度に回動しないので清掃の行われる回数が適度に抑えられる。すなわち、清掃部材５５が必要以上に頻繁に作動することによって液晶画面７ａが遮られ、表示される情報が見づらくなることがなくなる。
【００４１】
なお、本発明においては、表示装置として液晶表示装置を用いたものに限られず、複数のリールを備えた図柄表示装置を備えた遊技機に適用することができる。この場合、リールの表面を直接清掃する清掃部材、あるいはリールとパチンコ球が衝突することを避けるためにリールの前に平面状又は曲面状に設けられる透明板を清掃する清掃部材を設けることが考えられる。また、ドットマトリクス表示形式の表示装置のみならず、７セグメント表示形式の表示装置、発光ダイオード等を１つの画素に用いた表示装置等でもよい。
【００４２】
表示装置の表示面を清掃する接触部の具体例としては、ブラシに限らず、スポンジや布等のように表示装置の表示面を傷付ける事のない柔軟な素材等を適宜用いることができる。本発明においては、上記第１実施例、第２実施例の付勢バネ３１及び４４は必ずしも設けられていなくてもよい。また、回動軸が設けられた清掃部材においては、１個のパチンコ球によって清掃部材を作動させる場合、清掃部材にパチンコ球を所定の位置に静止させておく凹部を設け、パチンコ球が清掃部材の上に滞在する時間を長く確保できるようにしてもよい。また、清掃部材の作動が可能な期間と、清掃部材をロックして作動しないようにする期間とを設定し、例えば、表示装置に表示される情報が注目度の低い情報であるときのみに清掃部材が作動するようにしてもよい。また、本発明はパチンコ遊技機に限らず、パチンコ球と異なる他の遊技球を用いる遊技機に適用してもよい。
【図面の簡単な説明】
【００４３】
【図１】パチンコ遊技機の外観斜視図である。
【図２】枠部材の前面側斜視図である。
【図３】第１実施形態における清掃部材の斜視図である。
【図４】第１実施形態における清掃部材の正面図である。
【図５】第２実施形態における清掃部材を示す斜視図である。
【図６】第２実施形態における清掃部材の平面図である。
【図７】第２実施形態における清掃部材の正面図である。
【図８】第３実施形態における清掃部材の正面図である。
【符号の説明】
【００４４】
２  パチンコ遊技機
４  遊技盤
７  液晶表示装置（表示装置）
７ａ  液晶画面（表示面）
２４，４０，５５  清掃部材
２５，４１  ブラシ（清掃部）
２６，５６  一端部
２６ａ  受け面（受け部）
２７，５７  他端部
２８，５８  回動軸
３１，４４  付勢バネ（付勢部材）
４３  溝
４５  ガイドレール（ガイド部材）
５０  斜面
５６ａ  収容部
【図１】
2005245594.tif 000003
【図２】
2005245594.tif 000004
【図３】
2005245594.tif 000005
【図４】
2005245594.tif 000006
【図５】
2005245594.tif 000007
【図６】
2005245594.tif 000008
【図７】
2005245594.tif 000009
【図８】
2005245594.tif 000010